(57)【要約】【課題】信頼性の高い記録ディスクカートリッジを提供する。【解決手段】記録ディスクメディア３０と、記録ディスクメディア３０を収容すると共に切欠部２０１を有するロータリシャッタ２０と、ロータリシャッタ２０を収容すると共に、記録ディスクメディア３０を外部に臨ませるアクセス用開口部１０１を有するカートリッジケース１０と、ロータリシャッタ２０の記録ディスクメディア３０側に固定されたライナ６１，６２と、を備え、ドライブ装置Ｄに装着された場合、ロータリシャッタ２０がカートリッジケース１０内で回動することで切欠部２０１とアクセス用開口部１０１とが一致し、記録ディスクメディア３０が外部に臨む記録ディスクカートリッジ１であって、ライナ６１，６２は、回転する記録ディスクメディア３０によりロータリシャッタ２０内に吸い込まれる空気を、記録ディスクメディア３０の中心に誘導する誘導部６１ａ，６２ａを有する。【選択図】図６
2007141355.tif 000002
【特許請求の範囲】
【請求項１】
記録ディスクメディアと、
前記記録ディスクメディアを収容すると共に、当該記録ディスクメディアを外部に臨ませるシャッタ開口を有するロータリシャッタと、
前記ロータリシャッタを収容すると共に、前記記録ディスクメディアを外部に臨ませるケース開口を有するカートリッジケースと、
前記ロータリシャッタの前記記録ディスクメディア側に固定されたライナと、
を備え、ドライブ装置に装着された場合、前記ロータリシャッタが前記カートリッジケース内で回動することで前記シャッタ開口と前記ケース開口とが一致し、前記記録ディスクメディアが外部に臨む記録ディスクカートリッジであって、
前記ライナは、回転する前記記録ディスクメディアにより前記ロータリシャッタ内に吸い込まれる空気を、前記記録ディスクメディアの中心に誘導する誘導部を有することを特徴とする記録ディスクカートリッジ。
【請求項２】
前記誘導部は、前記ライナの空気吸い込み側が前記中心に向かって徐々に大きく切り欠かれて構成されていることを特徴とする請求項１に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきていると共にその記録波長はより短くなってきている。
【０００３】
従来の記録ディスクカートリッジとしては、例えば特許文献１に記載のものが知られている。特許文献１に記載の記録ディスクカートリッジは、記録ディスクメディアと、この記録ディスクメディアを収容すると共に、記録ディスクメディアを外部に臨ませるアクセス用開口部（ケース開口）を有するカートリッジケースと、前記アクセス用開口部を開閉するロータリシャッタと、を主に備えている。
【特許文献１】米国特許第６２５６１６８号明細書
【発明の開示】
【発明が解決しようとする課題】
【０００４】
しかしながら、特許文献１に記載の記録ディスクカートリッジでは、記録ディスクメディアが回転すると、空気と共に塵埃がロータリシャッタ内に吸い込まれる場合があった。そして、塵埃によって書き込み／読み込みエラーが発生する場合があり、記録ディスクカートリッジの信頼性が低下することがあった。
【０００５】
そこで、本発明は、信頼性の高い記録ディスクカートリッジを提供することを課題とする。
【課題を解決するための手段】
【０００６】
前記課題を解決するための手段として、請求項１に係る発明は、記録ディスクメディアと、前記記録ディスクメディアを収容すると共に、当該記録ディスクメディアを外部に臨ませるシャッタ開口を有するロータリシャッタと、前記ロータリシャッタを収容すると共に、前記記録ディスクメディアを外部に臨ませるケース開口を有するカートリッジケースと、前記ロータリシャッタの前記記録ディスクメディア側に固定されたライナと、を備え、ドライブ装置に装着された場合、前記ロータリシャッタが前記カートリッジケース内で回動することで前記シャッタ開口と前記ケース開口とが一致し、前記記録ディスクメディアが外部に臨む記録ディスクカートリッジであって、前記ライナは、回転する前記記録ディスクメディアにより前記ロータリシャッタ内に吸い込まれる空気を、前記記録ディスクメディアの中心に誘導する誘導部を有することを特徴とする記録ディスクカートリッジである。
【０００７】
このような記録ディスクカートリッジをドライブ装置に装着すると、ロータリシャッタがカートリッジケース内で回動することにより、シャッタ開口とケース開口とが一致する。これにより、記録ディスクメディアが、ドライブ装置内で、シャッタ開口及びケース開口を介して、記録ディスクカートリッジの外部に臨む。したがって、ドライブ装置のヘッドが記録ディスクメディアにアクセス可能となる。
【０００８】
また、記録ディスクメディアは、ドライブ装置のスピンドル等によって、所定の方向に回転する。そうすると、回転する記録ディスクメディアによって、空気がロータリシャッタ内に吸い込まれる。そして、吸い込まれる空気は、ライナの誘導部によって、記録ディスクメディアの中心に誘導される。すなわち、空気に同伴する塵埃も、記録ディスクメディアの中心に誘導される。
【０００９】
ここで、一般に、記録ディスクメディアの中心側の部分（以下、中心部）は、データの書き込み／読み込みが行われない領域である。これに対し、データの書き込み／読み込みが行われる部分（以下、データ部）は、前記した中心部の径方向外側に配置されている。
したがって、このように塵埃を記録ディスクメディアの中心に誘導することにより、塵埃が、前記したデータ部に付着しにくくなる。その結果として、塵埃によって、書き込み／読み込みエラーが発生しにくくなり、記録ディスクカートリッジの信頼性が高くなる。
【００１０】
請求項２に係る発明は、前記誘導部は、前記ライナの空気吸い込み側が前記中心に向かって徐々に大きく切り欠かれて構成されていることを特徴とする請求項１に記載の記録ディスクカートリッジである。
【００１１】
このような記録ディスクカートリッジによれば、ライナの空気吸い込み側を中心に向かって徐々に大きく切り欠くことで、誘導部を容易に構成することができる。
【発明の効果】
【００１２】
本発明によれば、信頼性の高い記録ディスクカートリッジを提供することができる。
【発明を実施するための最良の形態】
【００１３】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図である。図２は、本実施形態に係る記録ディスクカートリッジの分解斜視図である。図３は、本実施形態に係るロータリシャッタを示す斜視図であり、（ａ）は前方斜め上方からみた図、（ｂ）は後方斜め下方からみた図である。図４は、本実施形態に係る記録ディスクカートリッジの要部の断面図である。図５は、本実施形態に係る記録ディスクカートリッジから下シェル及びハブ孔シャッタを取り外した様子を下方からみた平面図である。図６及び図７は、本実施形態に係る記録ディスクカートリッジを上方からみた平面図である。図８は、本実施形態に係る記録ディスクカートリッジをドライブ装置に挿入した状態を示す斜視図である。
なお、本実施形態において方向を説明する場合は、図１に示す前、後、右、左、上、下、を基準として説明する。また、図５では下シェルのガイド孔と、ハブ孔シャッタを仮想線で記載している。さらに、図６では、ライナ６１の形状等を示すために、ライナ６１の上方に位置するロータリシャッタ２０等を仮想線で記載している。同様に、図７では、ライナ６２の形状等を示すために、ライナ６２の上方に位置するフレキシブルディスク３１等を仮想線で記載している。
【００１４】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、記録ディスクメディア３０をクリーニング及び保護等するライナ６１，６２と、を主に備えている。そして、このような記録ディスクカートリッジ１は、専用のドライブ装置Ｄ（図８参照）に、その前側から挿入されて使用される。
【００１５】
＜カートリッジケース１０＞
カートリッジケース１０は、図１に示すように、記録ディスクメディア３０及びロータリシャッタ２０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図８参照）。
【００１６】
また、カートリッジケース１０は、その内部に収容された記録ディスクメディア３０（フレキシブルディスク３１）を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図６、図７、図８参照）の動作に干渉しない形状となっている。
【００１７】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００１８】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００１９】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２０】
また、上シェル１１は、その右側に、金属プレートを折り曲げ加工して一体形成された平面視で直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが隙間なく重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２１】
さらに、上シェル１１は、その中央部に、ロータリシャッタ２０を回動可能に止め付けるセンタピン５０と係合する係合孔１１３を有している。
【００２２】
一方、下シェル１２は、その中央部に、記録ディスクメディア３０のハブ３２を外部に臨ませるハブ孔１２３を有している。そして、記録ディスクカートリッジ１がドライブ装置Ｄ（図８参照）に装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２３】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００２４】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている（図５参照）。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている（図５参照）。
【００２５】
また、アーチ状フレーム１３１は、下向きに開口し、カートリッジケース１０の内部と外部を連通させる係合溝１３１ｅ（図５参照）を有している。この係合溝１３１ｅは、後記するロック片７０が係合する溝である。
【００２６】
Ｖノッチ部材１３３は、後記するように閉方向に付勢されるロータリシャッタ２０を閉位置で止めるストッパとしての役割と（図５参照）、ドライブ装置Ｄとの係合部としての役割とを備える部材であり、左端部１０ｄの前側に配置されている。
【００２７】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００２８】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図３、図４参照）。
【００２９】
ロータリシャッタ２０は、図２及び図３に示すように、記録ディスクメディア３０（フレキシブルディスク３１）を外部に臨ませる切欠部２０１（シャッタ開口）を有している（図６、図７、図８参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００３０】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図５、図８参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図６、図７、図８参照）。
【００３１】
また、ロータリシャッタ２０は、図示しない付勢手段（例えば渦巻きばね）によって、閉方向（図５、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図５、図８参照）。
ちなみに、本発明において、前記付勢手段は必須の構成要素ではなく、後記するように、ドライブ装置Ｄ（図８参照）から記録ディスクカートリッジ１を抜き出す際に、ロータリシャッタ２０が閉方向（図５、矢印Ａ１参照）に回動するように、ドライブ装置Ｄ側にシャッタノブ２４の係止手段を設けることによって、前記付勢手段は省略することができる。
【００３２】
このようなロータリシャッタ２０は、図２及び図３に示すように、金属プレートからなる上シャッタ２１及び下シャッタ２２と、これらの間に介在した合成樹脂製のシャッタウォール２３と、を備えて構成されている。
【００３３】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００３４】
また、上シャッタ２１は、その中央部に、前記したセンタピン５０を挿通させるための挿通孔２１２を有している。
【００３５】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている（図３（ｂ）参照）。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００３６】
さらに、下シャッタ２２の下面には、ロータリシャッタ２０を回動させるためのシャッタノブ２４が取り付けられている（図３（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図８参照）。
【００３７】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタの側面から、その径方向外側に向かって徐々に離れるように延出した細長の金属片である。ロック片７０の先端部７１は、径方向内側に向かってやや屈曲している（図３、図５参照）。
【００３８】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図５参照）に係合し、ロータリシャッタ２０が回動しないようになっている。
【００３９】
また、ロック片７０の先端部７１は、係合溝１３１ｅを介して、記録ディスクカートリッジ１の右側方に臨んでいる。そして、記録ディスクカートリッジ１がドライブ装置Ｄ（図８参照）に挿入されると、ドライブ装置Ｄ内のロック解除ピン（図示省略）が、ロック片７０の先端部７１を径方向内側に押し（図５、矢印Ａ６参照）、ロック片７０と係合溝１３１ｅとの係合が解除され、ロータリシャッタ２０が回動可能となるように構成されている。
【００４０】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視で「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００４１】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００４２】
フレキシブルディスク３１は、例えば、ポリエステルシート等からなる円盤状の支持体の両面に磁性層等の記録層を形成したものである。また、フレキシブルディスク３１は、径方向内側に向かって、データの書き込み／読み込みが行われるデータ部３１ａと、その内側（中心側）であってデータの書き込み／読み込みが行われない中心部３１ｂと、を備えている（図４、図６、図７参照）。
【００４３】
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄ（図８参照）のスピンドル（図示省略）にチャックされるチャック部３２１を備えている（図１（ｂ）、図４参照）。
【００４４】
＜ライナ６１，６２＞
ライナ６１，６２は、記録ディスクメディア３０をクリーニングすると共に、記録ディスクメディア３０を保護するものであり、例えば、不織布等から形成されている。ライナ６１は、平面視において、上シャッタ２１よりも若干小さめであり、上シャッタ２１のフレキシブルディスク３１（記録ディスクメディア３０）側に、接着層（図示省略）を介して固定されている（図４参照）。一方、ライナ６２は、下シャッタ２２のフレキシブルディスク３１（記録ディスクメディア３０）側に固定されている。
【００４５】
また、ライナ６１は、図６に示すように、その一部が切り欠かれて形成され、回転するフレキシブルディスク３１（記録ディスクメディア３０）によりロータリシャッタ２０内に吸い込まれる空気を、フレキシブルディスク３１（記録ディスクメディア３０）の回転軸Ｘ（中心）側であって、平面視において、フレキシブルディスク３１のデータの書き込み／読み込みが行われない中心部３１ｂに誘導（案内）する誘導部６１ａを有している。
さらに説明すると、この誘導部６１ａは、ライナ６１の空気吸い込み側が回転軸Ｘ（中心）に向かって徐々に大きく切り欠かれることで構成されている。すなわち、一般に、上シャッタ２１と略同形状であるライナの空気吸い込み側を切り欠くことで、誘導部６１ａを有するライナ６１を容易に構成することができる。
【００４６】
さらに、ライナ６１は、後記するように、回転軸Ｘ（中心）に空気を誘導することで、回転軸Ｘ（中心）周りに集められた塵埃が切欠部２０１（アクセス用開口部１０１）に戻ることを防止するための塵埃戻り防止部６１ｂを備えている。
【００４７】
これと同様に、ライナ６２は、図７に示すように、その一部が切り欠かれて形成され、ロータリシャッタ２０内に吸い込まれる空気を、フレキシブルディスク３１（記録ディスクメディア３０）の回転軸Ｘ（中心）側に誘導する誘導部６２ａを有している。
【００４８】
＜ハブ孔シャッタ４０＞
ハブ孔シャッタ４０は、下シェル１２とハブ３２との間の隙間Ｓ（図４、図８参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００４９】
第１シャッタ４１及び第２シャッタ４２は、それぞれ、平面視で半円状の板状部材である。第１シャッタ４１は、その一方側に、軸孔４１１を有している。同様に、第２シャッタは、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００５０】
また、第１シャッタ４１は、その他方側に、ハブ３２と嵌り合うように半円形状に切り欠かれた嵌合部４１２（切欠部）を有している。同様に、第２シャッタは、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００５１】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００５２】
≪記録ディスクカートリッジ１の作用効果≫
次に、記録ディスクカートリッジ１の作用効果について説明する。まず、ロータリシャッタ２０及びハブ孔シャッタ４０の動作について図８を主に参照して説明し、その後、ライナ６１，６２の誘導部６１ａ，６２ａの作用効果について説明する。
【００５３】
＜ロータリシャッタ２０の動作＞
ロータリシャッタ２０は、図８右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００５４】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図５、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図５、矢印Ａ２参照）。
【００５５】
そうすると、シャッタノブ２４が固定されたロータリシャッタ２０は、カートリッジケース１０内でセンタピン５０を軸として回動する（図５、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００５６】
そして、図８左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、フレキシブルディスク３１（記録ディスクメディア３０）が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００５７】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図５参照）。
【００５８】
＜ハブ孔シャッタ４０の動作＞
次に、このようなロータリシャッタ２０の動作に連動するハブ孔シャッタ４０について説明する。
ハブ孔シャッタ４０は、図８右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる（図４参照）。これにより、この隙間Ｓからカートリッジケース１０内への塵埃の侵入が防止されており、その結果として、記録ディスクメディア３０等が保護されている。
【００５９】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図５、矢印Ａ４、Ａ４参照）。
【００６０】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図５、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図５、矢印Ａ５参照）。
【００６１】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図８左側参照）。その結果として、ハブ３２及びこれを備える記録ディスクメディア３０は、ハブ３２にチャックするドライブ装置Ｄのスピンドル（図示省略）により、良好に回転することができる。
【００６２】
なお、記録ディスクカートリッジ１がドライブ装置Ｄから取り出されると、閉位置に戻るロータリシャッタ２０に連動して、ハブ孔シャッタ４０は隙間Ｓを閉じる。
【００６３】
＜誘導部６１ａ、６２ａの作用効果＞
次に、ライナ６１の誘導部６１ａ及びライナ６２の誘導部６２ａの作用効果について、図６及び図７を参照して説明する。
記録ディスクカートリッジ１が、ドライブ装置Ｄに装着されて、ハブ３２にチャックしたスピンドル（図示しない）により、図６及び図７に示すように、回転軸Ｘを中心として、記録ディスクメディア３０が下方に向かって左回り（反時計回り）に回転すると（矢印Ａ１２参照）、ドライブ装置Ｄ内で、空気の渦流が発生し、外部の空気がドライブ装置Ｄ内に吸い込まれる（矢印Ａ１１参照）。
この外部からドライブ装置Ｄ内に吸い込まれる空気は、記録ディスクカートリッジ１とドライブ装置Ｄとの隙間を主に通った後、回転するフレキシブルディスク３１によって発生した気流に同伴して、さらにロータリシャッタ２０内に吸い込まれる。
【００６４】
そして、このようにロータリシャッタ２０内に吸い込まれる空気は、図６及び図７に示すように、誘導部６１ａ及び誘導部６２ａによって、回転軸Ｘ（中心）側に誘導される。これにより、ロータリシャッタ２０内に吸い込まれる空気に同伴する塵埃も、回転軸Ｘ（中心）側であって、平面視でフレキシブルディスク３１のデータの書き込み／読み込みが行われない中心部３１ｂに誘導される。
【００６５】
したがって、ロータリシャッタ２０内に吸い込まれた空気中の塵埃が、フレキシブルディスク３１のデータ部３１ａに付着しにくくなる。その結果として、塵埃によって、書き込み／読み込みエラーが発生しにくくなり、記録ディスクカートリッジ１の信頼性が高くなる。
【００６６】
以上、本発明の好適な実施形態について説明したが、本発明は前記実施形態に限定されず、本発明の趣旨を逸脱しない範囲で、例えば次のように変更することもできる。
【００６７】
前記した実施形態では、図６に示すように、誘導部６１ａは、ライナ６１の空気吸い込み側が回転軸Ｘ（中心）に向かって徐々に大きく切り欠かれることで構成されたとしたが、その他に例えば、切り欠かれていないライナのフレキシブルディスク３１側に、不織布製の誘導条（誘導部）を突設し、この誘導条によって、吸い込まれた空気が中心に誘導されるようにしてもよい。
【００６８】
その他に例えば、切り欠かれていないライナのフレキシブルディスク３１側表面に、吸い込まれた空気が中心に誘導されるように、ライナの厚みを適宜に薄くしてなる誘導溝（誘導部）を形成してもよい。
【図面の簡単な説明】
【００６９】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】本実施形態に係るロータリシャッタを示す斜視図であり、（ａ）は前方斜め上方からみた図、（ｂ）は後方斜め下方からみた図である。
【図４】本実施形態に係る記録ディスクカートリッジの要部の断面図である。
【図５】本実施形態に係る記録ディスクカートリッジを下方からみた平面図である。
【図６】本実施形態に係る記録ディスクカートリッジを上方からみた平面図である。
【図７】本実施形態に係る記録ディスクカートリッジを上方からみた平面図である。
【図８】本実施形態に係る記録ディスクカートリッジをドライブ装置に挿入した状態を示す斜視図である。
【符号の説明】
【００７０】
１      記録ディスクカートリッジ
１０    カートリッジケース
２０    ロータリシャッタ
３０    記録ディスクメディア
４０    ハブ孔シャッタ
６１，６２  ライナ
６１ａ，６２ａ  誘導部
１０１，１１１，１２１  アクセス用開口部（ケース開口）
２１１，２２１，２０１  切欠部（シャッタ開口）
Ｄ      ドライブ装置
Ｓ      隙間
【図１】
2007141355.tif 000003
【図２】
2007141355.tif 000004
【図３】
2007141355.tif 000005
【図４】
2007141355.tif 000006
【図５】
2007141355.tif 000007
【図６】
2007141355.tif 000008
【図７】
2007141355.tif 000009
【図８】
2007141355.tif 000010